(57)【要約】【課題】管内全体を同時に明るく照らして、管内検査をスムーズに行い得るようにすることが可能な管内検査装置を提供する。【解決手段】本管１から分岐して接続された枝管２内に差し込まれるシャフト１１と、シャフト１１の下端部に設けられ、本管１の内部を撮影する撮像装置１２と、撮像装置１２の撮影方向を照明する光軸を有する第一照明装置１３と、撮像装置１２の撮影方向を照明する、第一照明装置１３の光軸とは異なる光軸を有するとともに、前記第一照明装置１３の照明光の拡がり角と異なる拡がり角を有する第二照明装置１４と、を備えた管内検査装置を構成する。【選択図】図１
2018022134.tif 000002
【特許請求の範囲】
【請求項１】
本管（１）から分岐して接続された枝管（２）内に差し込まれるシャフト（１１）と、
前記シャフト（１１）の下端部に設けられ、前記本管（１）の内部を撮影する撮像装置（１２）と、
前記撮像装置（１２）の撮影方向を照明する光軸を有する第一照明装置（１３）と、
前記撮像装置（１２）の撮影方向を照明する、前記第一照明装置（１３）の光軸とは異なる光軸を有するとともに、前記第一照明装置（１３）の照明光の拡がり角と異なる拡がり角を有する第二照明装置（１４）と、
を備えた管内検査装置。
【請求項２】
前記第一照明装置（１３）の光量と前記第二照明装置（１４）の光量の相対比率を変更可能とした請求項１に記載の管内検査装置。
【請求項３】
前記第一照明装置（１３）及び前記第二照明装置（１４）の光軸とは異なる光軸を有する第三照明装置（１６）をさらに備えた請求項１または２に記載の管内検査装置。
【請求項４】
前記第一照明装置（１３）に対して、前記第二照明装置（１４）と前記第三照明装置（１６）が互いに反対側に配置されている請求項３に記載の管内検査装置。
【請求項５】
前記第三照明装置（１６）が、前記第一照明装置（１３）を対称中心として前記第二照明装置（１４）に対して対称位置に配置されている請求項４に記載の管内検査装置。
【請求項６】
前記第一照明装置（１３）が、前記撮像装置（１２）の周りを囲むように配置された複数の素光源（１３ａ）から構成され、前記撮像装置（１２）の撮影方向と、複数の前記素光源（１３ａ）の光軸から構成される前記第一照明装置（１３）の光軸とが同軸である請求項１から５のいずれか１項に記載の管内検査装置。
【発明の詳細な説明】
【技術分野】
【０００１】
この発明は、地下に埋設した上水道等の配管の内部を検査するための管内検査装置に関する。
【背景技術】
【０００２】
上水道等の配管の本管の検査は、先端にカメラ等の撮像装置が設けられた管内検査装置を用いて、この本管内の状態を撮影することによって行なわれるのが一般的である。
【０００３】
例えば、特許文献１に記載の管内検査装置は、先端に反射鏡が設けられたガイド筒体の中に、先端に撮像装置が設けられたケーブルが通されている。ガイド筒体の先端（反射鏡を設けた部分）が堆積した異物に接触しないようにしつつ、このガイド筒体を本管から上向きに分岐して接続された枝管に挿し込んだ上で、反射鏡に映った本管内の状態を撮像装置で撮影する（本文献の段落００１４〜００１５、図１等参照）。このガイド筒体の先端には、照明装置が設けられており、この照明装置で本管内を照明することで検査を行うことができる（本文献の段落００２９、図７、８参照）。
【０００４】
また、特許文献２に記載の管内検査装置は、カメラ部から駆動部にかけての前後方向の軸線に対し、この軸線を対称軸として揺動可能なカメラ部を有した構造となっている。このカメラ部の周りには照射灯が設けられており、この照射灯で管内を照明することで検査を行うことができる（本文献の段落００１９、図３、４等参照）。
【先行技術文献】
【特許文献】
【０００５】
【特許文献１】特開２０１５−１６６８４１号公報
【特許文献２】特許第５６１６４７５号公報
【発明の概要】
【発明が解決しようとする課題】
【０００６】
特許文献１の構成においては、反射鏡を介して管内の撮影が行なわれるため、撮影された像が不明瞭となりやすい問題がある。また、特許文献２の構成においては、管内を直接撮影することができるため像の明瞭性は向上するものの、カメラ部の周りに設けた照射灯だけでは、管内奥側と手前側の内壁の両方を同時に明るく照らすことは難しく、検査視野内に明暗が生じやすいという問題があった。
【０００７】
そこで、この発明は、管内全体を同時に明るく照らして、管内検査をスムーズに行い得るようにすることを課題とする。
【課題を解決するための手段】
【０００８】
上記の課題を解決するため、この発明は、本管から分岐して接続された枝管内に差し込まれるシャフトと、前記シャフトの下端部に設けられ、前記本管の内部を撮影する撮像装置と、前記撮像装置の撮影方向を照明する光軸を有する第一照明装置と、前記撮像装置の撮影方向を照明する、前記第一照明装置の光軸とは異なる光軸を有するとともに、前記第一照明装置の照明光の拡がり角と異なる拡がり角を有する第二照明装置と、を備えた管内検査装置を構成した。
【０００９】
このように、互いに異なる光軸を有するとともに、照明光の拡がり角が異なる第一照明装置と第二照明装置で管内を照明することにより、例えば、拡がり角が大きい一方の照明装置で、手前側の内壁を照明するとともに、拡がり角が小さい他方の照明装置で、管内奥側を照明することができ、管内全体を同時に明るく照らすことができる。このため、本管内の広い領域をより明瞭に撮影することができる。
【００１０】
前記構成においては、前記第一照明装置の光量と前記第二照明装置の光量の相対比率を変更可能とした構成とするのが好ましい。このように、両照明装置の光量の相対比率を変更可能とすることにより、両照明装置によって照明された管内の明るさを検査視野全体で均一に近付けることができ、管内を一層明瞭に撮影することができる。
【００１１】
前記各構成においては、前記第一照明装置及び前記第二照明装置の光軸とは異なる光軸を有する第三照明装置をさらに備えた構成とすることができる。このように、第三照明装置を設けることにより、本管内を一層明るく照明することができ、管内検査を一層スムーズに行うことができる。
【００１２】
前記第三照明装置を備えた構成においては、前記第一照明装置に対して、前記第二照明装置と前記第三照明装置が互いに反対側に配置されている構成とするのが好ましい。さらに、この構成においては、この第三照明装置が、前記第一照明装置を対称中心として前記第二照明装置に対して対称位置に配置されている構成とするのが好ましい。このようにすると、第一照明装置が設けられた撮像装置の両側から、本管内を満遍なく照明することができ、管内検査を一層スムーズに行うことができる。
【００１３】
前記各構成においては、前記第一照明装置が、前記撮像装置の周りを囲むように配置された複数の素光源から構成され、前記撮像装置の撮影方向と、複数の前記素光源の光軸から構成される前記第一照明装置の光軸とが同軸である構成とするのが好ましい。このように、複数の素光源を配置して、撮影方向と第一照明装置の光軸を同軸とすることにより、この撮影方向を効率的に照明することができ、本管内を一層明瞭に撮影することができる。
【発明の効果】
【００１４】
この発明では、本管から分岐して接続された枝管内に差し込まれるシャフトと、前記シャフトの下端部に設けられ、前記本管の内部を撮影する撮像装置と、前記撮像装置の撮影方向を照明する光軸を有する第一照明装置と、前記撮像装置の撮影方向を照明する、前記第一照明装置の光軸とは異なる光軸を有するとともに、前記第一照明装置の照明光の拡がり角と異なる拡がり角を有する第二照明装置と、を備えた管内検査装置を構成した。
【００１５】
このように、互いに異なる光軸を有するとともに、照明光の拡がり角が異なる第一照明装置と第二照明装置で本管内を照明することにより、単一の光軸及び拡がり角の照明光で照明した場合と比較して、管内全体を同時に明るく照らすことができる。このため、本管内の広い領域をより明瞭に観察することができる。
【図面の簡単な説明】
【００１６】
【図１】この発明に係る管内検査装置の第一実施形態を示す正面図
【図２】図１に示した管内検査装置を本管内に設けた状態を示す図
【図３】図１に示した管内検査装置で本管内を照明した状態を示す図
【図４】この発明に係る管内検査装置の第二実施形態を示す正面図
【図５】図４に示した管内検査装置で本管内を照明した状態を示す図
【図６】図４に示す管内検査装置の変形例を示す図
【発明を実施するための形態】
【００１７】
この発明に係る管内検査装置１０の第一実施形態を図１に、この管内検査装置１０を本管１内に設けた状態を図２に、この管内検査装置１０で本管１内を照明した状態を図３にそれぞれ示す。この管内検査装置１０は、水道管等の配管の本管１から上向きに分岐して接続された枝管２に挿し込まれて、本管１内の検査を行うためのものである。
【００１８】
管内検査装置１０を通す枝管２には、この枝管２に接続される消火栓（図示せず）等への通水を制御するためのバルブ３が設けられていて、検査の際には、このバルブ３を開弁して、管内検査装置１０を本管１まで通す。この管内検査装置１０の上部側と枝管２の間の隙間には、水密部材（図示せず）が設けられる。このように、水密部材を設けることにより、枝管２の上端側からの漏水が防止され、通水状態のまま本管１内の検査を行うことができる。このため、水道等の利用者の利便性が確保される。
【００１９】
この管内検査装置１０は、シャフト１１、撮像装置１２、第一照明装置１３、及び、第二照明装置１４を主要な構成要素としている。
【００２０】
シャフト１１は円筒状をしており、その下端部には、中央に貫通孔が形成された閉塞部材１５が嵌め込まれている。このシャフト１１として、本管１及び枝管２内の水圧や、撮像装置１２をシャフト１１の軸周りに回転操作する際の捩り力に耐え得るように鋼管を採用するのが好ましいが、この水圧や捩り力に耐え得る限りにおいて、繊維強化樹脂材等の他の素材を採用することもできる。シャフト１１を軸周りに回転すると、このシャフト１１の下端部に取り付けられた撮像装置１２も一体に軸周りに回転し、この軸周りの周囲全体をスムーズに観察することができる。
【００２１】
撮像装置１２は、本管１の内部を撮影するためのものであって、この撮像装置１２に一体に形成された接続部材１２ａを、閉塞部材１５に形成された貫通孔に挿し込むことによって、シャフト１１の下端部に固定される。この実施形態における撮像装置１２は、シャフト１１の軸に対して直交する方向を向くように取り付けられている。この実施形態においては、ＣＭＯＳイメージセンサを備えた小型カメラを内蔵した構成としたが、ＣＣＤイメージセンサ等の素子を用いた他の種類の小型カメラを内蔵した構成とすることもできる。撮像装置１２への電力供給や画像信号の送信は、シャフト１１内に通されたケーブル（図示せず）によって行なわれる。
【００２２】
撮像装置１２の水平断面最大幅は、シャフト１１の水平断面最大幅内に収まっていて、この撮像装置１２が、シャフト１１の下向きへの延長線の範囲内から外向きに突出しないようになっている。これにより、撮像装置１２の周りの水流の乱れを極力防止することができる。
【００２３】
第一照明装置１３は、撮像装置１２の周りを囲むように円環状に配置された複数の素光源１３ａから構成されており、この撮像装置１２の撮影方向を照明する機能を有している。この実施形態においては、素光源１３ａとして、１２個の発光ダイオード（ＬＥＤ）が採用されている。撮像装置１２の撮影方向と、この複数の素光源１３ａの光軸から構成される第一照明装置１３の光軸とは同軸となっている。このため、撮像装置１２の撮影方向を効率的に照明することができ、本管１内を一層明瞭に観察することができる。第一照明装置１３は、この第一照明装置１３への電力供給を調節する電源装置（図示せず）に接続されている。この電源装置を調節することにより、第一照明装置１３の光量を調節することができる。この第一照明装置１３への電力供給は、撮像装置１２と同じく、シャフト１１内に通されたケーブル（図示せず）によって行なわれる。
【００２４】
なお、上記において説明した第一照明装置１３の配置や、使用する素光源１３ａの数や種類は例示であって、本管１内を照明する照明機能を発揮し得る限りにおいて、撮像装置１２の撮影方向と第一照明装置１３の光軸を非同一としたり、素光源１３ａの数や種類を適宜変更したりすることもできる。
【００２５】
第二照明装置１４は、第一照明装置１３の下側に連設されている。この実施形態においては、１個の高出力ＬＥＤが採用されている。このように、第二照明装置１４を第一照明装置１３の下側に連設することにより、本管１の底部に堆積した夾雑物を照明して、その堆積状況を明確に検査することができる。この第二照明装置１４は、撮像装置１２の撮影方向を照明する機能を有している点で第一照明装置１３と共通するが、第一照明装置１３とは異なる光軸を有している点で相違する。
【００２６】
すなわち、この実施形態においては、第一照明装置１３は、撮像装置１２の撮影方向と同軸の光軸を有する一方で、第二照明装置１４は、第一照明装置１３の光軸とほぼ平行であって、かつ、この第一照明装置１３の光軸を下向きに平行移動させた光軸を有している。このように、両照明装置１３、１４の光軸が異なるように構成することによって、本管１内の広い領域をより明瞭に観察することができる。第二照明装置１４は、この第二照明装置１４への電力供給を調節する電源装置（図示せず）に接続されている。この電源装置を調節することにより、第二照明装置１４の光量を調節することができる。この第二照明装置１４への電力供給は、撮像装置１２及び第一照明装置１３と同じく、シャフト１１内に通されたケーブル（図示せず）によって行なわれる。
【００２７】
第一照明装置１３及び第二照明装置１４に接続された電源装置はそれぞれ独立して電流値を調節することができ、第一照明装置１３の光量と第二照明装置１４の光量の相対比率を適宜変更することができる。このように、両光量の相対比率を変更することにより、両照明装置１３、１４によって照明された本管１内の明るさを均一に近付けることができ、撮像装置１２のハレーションを防止して本管１内を一層明瞭に撮影することができる。
【００２８】
図３に示すように、第一照明装置１３及び第二照明装置１４からの照明光の拡がり角θ１、θ２はそれぞれ異なっており、第一照明装置１３の拡がり角θ１の方が第二照明装置１４の拡がり角θ２よりも大きい。このように両照明装置１３、１４の拡がり角θ１、θ２を異ならせることにより、広角照明の第一照明装置１３によって、本管１内の手前側の内壁を照明するとともに、狭角照明の第二照明装置１４によって、本管１内の奥側を照明することができ、本管１内全体を同時に明るく照らすことができる。これにより、本管１内の検査を精度良く行うことができる。
【００２９】
この実施形態においては、撮像装置１２の周りを囲むように設けた第一照明装置１３の照明光の拡がり角を広角にするとともに、その下方に設けた第二照明装置１４の照明光の拡がり角を狭角としたが、これとは逆に、第一照明装置１３側を狭角にするとともに、第二照明装置１４側を広角とすることもできる。この場合も、上記と同様に、本管１内全体を同時に明るく照らすことができ、本管１内の検査を精度良く行うことができる。
【００３０】
この実施形態においては、第一照明装置１３の下側に第二照明装置１４を配置する構成としたが、両照明装置１３、１４の相対位置関係はこれに限定されない。例えば、第二照明装置１４を第一照明装置１３の周縁部に沿って移動可能に構成し、管内検査装置１０の本管１内への挿し込みが完了するまでは、第二照明装置１４を第一照明装置１３の下側に配置しておく一方で、その挿し込みが完了したら、第二照明装置１４を第一照明装置１３の周縁部に沿って移動可能な構成としてもよい。
【００３１】
このようにすれば、管内検査装置１０の本管１内への挿し込み作業をスムーズに行うことができる一方で、その挿し込み後は、第二照明装置１４を第一照明装置１３の周りに自在に回転させて、この第二照明装置１４による照明効果が最も高くなる位置に移動させることにより、本管１内の検査を一層精度良く行うことができる。
【００３２】
また、特に図示しないが、各照明装置１３、１４に設けた集光レンズ（図示せず）を軸方向に変位可能な構成とし、この集光レンズを変位させることにより、各照明装置１３、１４からの照明光の拡がり角を適宜変化させてもよい。このようにすれば、本管１内の照明光の照明効率を高め、一層精度良く検査を行うことができる。
【００３３】
この発明に係る管内検査装置１０の第二実施形態を図４に、この管内検査装置１０で本管１内を照明した状態を図５にそれぞれ示す。この管内検査装置１０は、シャフト１１、撮像装置１２、第一照明装置１３、第二照明装置１４を備える点において第一実施形態に係る管内検査装置１０と共通しているが、さらに、第三照明装置１６を備えている点で相違する。なお、シャフト１１、撮像装置１２、第一照明装置１３、及び、第二照明装置１４は、第一実施形態に係るものと共通するので、重複する説明は省略する。
【００３４】
この第三照明装置１６は、第一照明装置１３及び第二照明装置１４の光軸とは異なる光軸を有しており、第一照明装置１３を対称中心として第二照明装置１４に対して対称位置となるように配置されている。この実施形態においては、シャフト１１の下端から下に向かって、第三照明装置１６、第一照明装置１３（撮像装置１２）、第二照明装置１４が同軸にこの順序で配置されている。
【００３５】
この第三照明装置１６として、この実施形態においては、第二照明装置１４と同様に、１個の高出力ＬＥＤが採用されている。第一照明装置１３、第二照明装置１４、及び、第三照明装置１６に接続された電源装置はそれぞれ独立して電流値を調節することができ、各照明装置１３、１４、１６の光量の相対比率を適宜変更することができる。このように、各光量の相対比率を変更することにより、各照明装置１３、１４、１６によって照明された本管１内の明るさを均一に近付けることができ、本管１内を一層明瞭に撮影することができる。
【００３６】
図５に示すように、第一照明装置１３からの照明光の拡がり角θ３と、第二照明装置１４及び第三照明装置１６からの照明光の拡がり角θ４、θ５とはそれぞれ異なっており、第一照明装置１３からの照明光の拡がり角θ３の方が第二照明装置１４及び第三照明装置１６からの照明光の拡がり角θ４、θ５よりも大きい。このように、各照明装置１３、１４、１６の拡がり角θ３、θ４、θ５を異ならせることにより、広角照明の第一照明装置１３によって、本管１内の手前側の内壁を照明するとともに、狭角照明の第二照明装置１４及び第三照明装置１６によって、本管１内の奥側を照明することができ、本管１内全体を同時に明るく照らすことができる。
【００３７】
各照明装置１３、１４、１６の照明光の拡がり角θ３、θ４、θ５は、本管１の呼び径などに対応して適宜決めることができるが、例えば、第一照明装置１３の照明光の拡がり角θ３を９０度、第二照明装置１４、第三照明装置１６の照明光の拡がり角θ４、θ５を３０度とすることができる。
【００３８】
また、第三照明装置１６が、第一照明装置１３を対称中心として第二照明装置１４に対して対称位置に配置されている構成としたので、第一照明装置１３が設けられた撮像装置１２の両側から、本管１内を満遍なく照明することができ、管内検査を一層スムーズに行うことができる。
【００３９】
図４に示した管内検査装置１０の変形例を図６に示す。この管内検査装置１０は、基本的な構成は図４に示した管内検査装置１０と共通するが、第二照明装置１４と第三照明装置１６が、第一照明装置１３に対して非対称位置に配置されている、すなわち、第一照明装置１３と第二照明装置１４との間の間隔が、第一照明装置１３と第三照明装置１６との間の間隔よりも広い点において相違する。なお、図６で示した構成とは逆に、第一照明装置１３と第三照明装置１６との間の間隔が、第一照明装置１３と第二照明装置１４との間の間隔よりも広くなるように配置してもよい。
【００４０】
上記において説明した管内検査装置１０はあくまでも一例に過ぎず、管内全体を同時に明るく照らして、管内検査をスムーズに行い得るようにする、という本願発明の課題を解決し得る限りにおいて、各構成部材の形状、配置、素材等を適宜変更することができる。
【符号の説明】
【００４１】
１  本管
２  枝管
３  バルブ
１０  管内検査装置
１１  シャフト
１２  撮像装置
１３  第一照明装置
１３ａ  素光源
１４  第二照明装置
１５  閉塞部材
１６  第三照明装置
【図１】
2018022134.tif 000003
【図２】
2018022134.tif 000004
【図３】
2018022134.tif 000005
【図４】
2018022134.tif 000006
【図５】
2018022134.tif 000007
【図６】
2018022134.tif 000008